【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
支持体上に、以下の成分を含む塗布組成物を塗設してなる低屈折率層を有することを特徴とする反射防止フイルム。
（Ａ）主鎖が炭素原子のみからなり、含フッ素ビニルモノマー重合単位、水酸基含有ビニルモノマー重合単位、及び側鎖に下記一般式１で表されるポリシロキサン繰り返し単位を含むグラフト部位を有する重合単位を、それぞれ少なくとも１種含有し、かつ該水酸基含有ビニルモノマー重合単位の含有率が、２０モル％を超える含フッ素ポリマー。但し、該ポリマーは主鎖にポリシロキサン構造を有さない。
（Ｂ）水酸基と反応可能な架橋剤。
（Ｃ）１分子内に２つ以上の（メタ）アクリロイル基を含有する化合物。
一般式１
【化１】
2007301970.tif 000001
（式（１）中、Ｒ１、Ｒ２は同一であっても異なっていてもよく、アルキル基又はアリール基を表す。ｐは１０〜５００の整数を表す。）
【請求項２】
支持体上に、以下の成分を含む塗布組成物を塗設してなる低屈折率層を有することを特徴とする反射防止フイルム。
（Ａ）主鎖が炭素原子のみからなり、含フッ素ビニルモノマー重合単位、水酸基含有ビニルモノマー重合単位、及び側鎖に下記一般式１で表されるポリシロキサン繰り返し単位を含むグラフト部位を有する重合単位を、それぞれ少なくとも１種含有し、かつ該水酸基含有ビニルモノマー重合単位の含有率が、２０モル％を超える含フッ素ポリマー。但し、該ポリマーは主鎖にポリシロキサン構造を有さない。
（Ｂ）水酸基と反応可能な架橋剤。
（Ｄ）オルガノシラン化合物又は、該オルガノシラン化合物の加水分解物及び／又はその部分縮合物から構成される組成物。
一般式１
【化１】
2007301970.tif 000002
（式（１）中、Ｒ１、Ｒ２は同一であっても異なっていてもよく、アルキル基又はアリール基を表す。ｐは１０〜５００の整数を表す。）
【請求項３】
支持体上に、以下の成分を含む塗布組成物を塗設してなる低屈折率層を有することを特徴とする反射防止フイルム。
（Ａ）主鎖が炭素原子のみからなり、含フッ素ビニルモノマー重合単位、水酸基含有ビニルモノマー重合単位、及び側鎖に下記一般式１で表されるポリシロキサン繰り返し単位を含むグラフト部位を有する重合単位を、それぞれ少なくとも１種含有し、かつ該水酸基含有ビニルモノマー重合単位の含有率が、２０モル％を超える含フッ素ポリマー。但し、該ポリマーは主鎖にポリシロキサン構造を有さない。
（Ｂ）水酸基と反応可能な架橋剤。
（Ｅ）粒子サイズ１ｎｍ以上１００ｎｍ以下の無機粒子。
一般式１
【化１】
2007301970.tif 000003
（式（１）中、Ｒ１、Ｒ２は同一であっても異なっていてもよく、アルキル基又はアリール基を表す。ｐは１０〜５００の整数を表す。）
【請求項４】
塗布組成物が更に、（Ｅ）粒子サイズ１ｎｍ以上１００ｎｍ以下の無機粒子、を含有することを特徴とする請求項１又は２に記載の反射防止フイルム。
【請求項５】
塗布組成物が、更に（Ｆ）水酸基又は水酸基と反応して結合を形成する官能基を含有するポリシロキサン化合物を含んでいることを特徴とする請求項１〜４のいずれかに記載の反射防止フイルム。
【請求項６】
塗布組成物が更に共役酸のｐＫａが５．０〜１０．５である有機塩基と酸とからなる塩を少なくとも１種含むことを特徴とする請求項１〜５のいずれかに記載の反射防止フイルム。
【請求項７】
塗布組成物が更に沸点が３５℃以上８５℃以下の含窒素有機塩基と酸とからなる塩を少なくとも１種含んでいることを特徴とする請求項１〜６のいずれかに記載の反射防止フイルム。
【請求項８】
無機粒子が中空状のシリカ粒子であることを特徴とする請求項３〜７のいずれかに記載の反射防止フイルム。
【請求項９】
支持体と低屈折率層との間に、低屈折率層よりも屈折率の高い層を少なくとも１層有し、該層がオルガノシラン化合物又は、該オルガノシラン化合物の加水分解物及び／又はその部分縮合物から構成される組成物を含有することを特徴とする請求項１〜８のいずれかに記載の反射防止フイルム。
【請求項１０】
請求項１〜９のいずれかに記載の反射防止フイルムが、偏光板における偏光膜の２枚の保護フィルムのうちの一方に用いられていることを特徴とする偏光板。
【請求項１１】
請求項１〜９のいずれかに記載の反射防止フイルム又は請求項１０に記載の偏光板がディスプレイの最表面に用いられていることを特徴とする画像表示装置。
【手続補正２】
【補正対象書類名】明細書
【補正対象項目名】００１１
【補正方法】変更
【補正の内容】
【００１１】
（１）支持体上に、以下の成分を含む塗布組成物を塗設してなる低屈折率層を有することを特徴とする反射防止フイルム。
（Ａ）主鎖が炭素原子のみからなり、含フッ素ビニルモノマー重合単位、水酸基含有ビニルモノマー重合単位、及び側鎖に下記一般式１で表されるポリシロキサン繰り返し単位を含むグラフト部位を有する重合単位を、それぞれ少なくとも１種含有し、かつ該水酸基含有ビニルモノマー重合単位の含有率が、２０モル％を超える含フッ素ポリマー。但し、該ポリマーは主鎖にポリシロキサン構造を有さない。
（Ｂ）水酸基と反応可能な架橋剤。
（Ｃ）１分子内に２つ以上の（メタ）アクリロイル基を含有する化合物。
一般式１
【化１】
2007301970.tif 000004
（式（１）中、Ｒ１、Ｒ２は同一であっても異なっていてもよく、アルキル基又はアリール基を表す。ｐは１０〜５００の整数を表す。）
（２）支持体上に、以下の成分を含む塗布組成物を塗設してなる低屈折率層を有することを特徴とする反射防止フイルム。
（Ａ）主鎖が炭素原子のみからなり、含フッ素ビニルモノマー重合単位、水酸基含有ビニルモノマー重合単位、及び側鎖に下記一般式１で表されるポリシロキサン繰り返し単位を含むグラフト部位を有する重合単位を、それぞれ少なくとも１種含有し、かつ該水酸基含有ビニルモノマー重合単位の含有率が、２０モル％を超える含フッ素ポリマー。但し、該ポリマーは主鎖にポリシロキサン構造を有さない。
（Ｂ）水酸基と反応可能な架橋剤。
（Ｄ）オルガノシラン化合物又は、該オルガノシラン化合物の加水分解物及び／又はその部分縮合物から構成される組成物。
一般式１
【化１】
2007301970.tif 000005
（式（１）中、Ｒ１、Ｒ２は同一であっても異なっていてもよく、アルキル基又はアリール基を表す。ｐは１０〜５００の整数を表す。）
（３）支持体上に、以下の成分を含む塗布組成物を塗設してなる低屈折率層を有することを特徴とする反射防止フイルム。
（Ａ）主鎖が炭素原子のみからなり、含フッ素ビニルモノマー重合単位、水酸基含有ビニルモノマー重合単位、及び側鎖に下記一般式１で表されるポリシロキサン繰り返し単位を含むグラフト部位を有する重合単位を、それぞれ少なくとも１種含有し、かつ該水酸基含有ビニルモノマー重合単位の含有率が、２０モル％を超える含フッ素ポリマー。但し、該ポリマーは主鎖にポリシロキサン構造を有さない。
（Ｂ）水酸基と反応可能な架橋剤。
（Ｅ）粒子サイズ１ｎｍ以上１００ｎｍ以下の無機粒子。
一般式１
【化１】
2007301970.tif 000006
（式（１）中、Ｒ１、Ｒ２は同一であっても異なっていてもよく、アルキル基又はアリール基を表す。ｐは１０〜５００の整数を表す。）
【手続補正３】
【補正対象書類名】明細書
【補正対象項目名】００１２
【補正方法】変更
【補正の内容】
【００１２】
（４）塗布組成物が更に、（Ｅ）粒子サイズ１ｎｍ以上１００ｎｍ以下の無機粒子、を含有することを特徴とする上記（１）又は（２）に記載の反射防止フイルム。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
（５）塗布組成物が、更に（Ｆ）水酸基又は水酸基と反応して結合を形成しうるポリシロキサン構造を有する化合物を含んでいることを特徴とする上記（１）〜（４）のいずれかに記載の反射防止フイルム。
（６）塗布組成物が更に共役酸のｐＫａが５．０〜１０．５である有機塩基と酸とからなる塩を少なくとも１種含むことを特徴とする上記（１）〜（５）のいずれかに記載の反射防止フイルム。
（７）塗布組成物が更に沸点が３５℃以上８５℃以下の含窒素有機塩基と酸とからなる塩を少なくとも１種含んでいることを特徴とする上記（１）〜（６）のいずれかに記載の反射防止フイルム。
（８）無機粒子が中空状のシリカ粒子であることを特徴とする上記（１）〜（７）のいずれかに記載の反射防止フイルム。
（９）支持体と低屈折率層との間に、低屈折率層よりも屈折率の高い層を少なくとも１層有し、該層がオルガノシラン化合物又は、該オルガノシラン化合物の加水分解物及び/又はその部分縮合物から構成される組成物を含有することを特徴とする上記（１）〜（８）に記載の反射防止フイルム。
（１０）上記（１）〜（９）のいずれかに記載の反射防止フイルムが、偏光板における偏光膜の２枚の保護フィルムのうちの一方に用いられていることを特徴とする偏光板。
（１１）上記（１）〜（９）のいずれかに記載の反射防止フイルム又は上記（１０）に記載の偏光板がディスプレイの最表面に用いられていることを特徴とする画像表示装置。
【手続補正６】
【補正対象書類名】明細書
【補正対象項目名】０３９５
【補正方法】変更
【補正の内容】
【０３９５】
【表７】
2007301970.tif 000007
【手続補正７】
【補正対象書類名】明細書
【補正対象項目名】０４１５
【補正方法】変更
【補正の内容】
【０４１５】
【表８】
2007301970.tif 000008